Podtech/llm-jp-corpus-v4-ja_patent huggingface dataset:
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
所定の始動条件の成立により補助遊技を実行し、該補助遊技が特別な結果となる場合に遊技者に特典を付与する特別遊技状態を発生させる遊技制御を行う遊技制御装置を備えた遊技機において、
前記遊技制御装置には、
遊技制御プログラムにより所要の演算処理を行う演算処理手段と、
前記演算処理を行う際にデータが記憶されるレジスタと、
前記演算処理手段によって更新される情報が記憶され、当該遊技機への電源供給が停止しても前記記憶された情報の記憶保持が可能な更新情報記憶手段と、
前記更新情報記憶手段に記憶された情報の更新を規制する更新規制手段と、
前記遊技制御プログラムを記憶する遊技制御プログラム記憶手段と、
を備え、
前記更新情報記憶手段には複数バイトのアドレスが割り当てられ、該アドレスにより該記憶手段に記憶される情報が特定され、
前記レジスタには、前記アドレスのうちの上位のアドレスを指定するための上位アドレス指定レジスタが含まれるとともに、
所定の起動信号が発生すると、前記上位アドレス指定レジスタに前記更新情報記憶手段に割り当てられた固有のアドレス値が設定され、前記演算処理手段が前記遊技制御プログラムのリセットアドレスに設定された命令を実行する構成となっていることを特徴とする遊技機。
【手続補正２】
【補正対象書類名】明細書
【補正対象項目名】００１０
【補正方法】変更
【補正の内容】
【００１０】
本発明の代表的な一形態では、所定の始動条件の成立により補助遊技を実行し、該補助遊技が特別な結果となる場合に遊技者に特典を付与する特別遊技状態を発生させる遊技制御を行う遊技制御装置を備えた遊技機において、前記遊技制御装置には、遊技制御プログラムにより所要の演算処理を行う演算処理手段と、前記演算処理を行う際にデータが記憶されるレジスタと、前記演算処理手段によって更新される情報が記憶され、当該遊技機への電源供給が停止しても前記記憶された情報の記憶保持が可能な更新情報記憶手段と、前記更新情報記憶手段に記憶された情報の更新を規制する更新規制手段と、前記遊技制御プログラムを記憶する遊技制御プログラム記憶手段と、を備え、前記更新情報記憶手段には複数バイトのアドレスが割り当てられ、該アドレスにより該記憶手段に記憶される情報が特定され、前記レジスタには、前記アドレスのうちの上位のアドレスを指定するための上位アドレス指定レジスタが含まれるとともに、所定の起動信号が発生すると、前記上位アドレス指定レジスタに前記更新情報記憶手段に割り当てられた固有のアドレス値が設定され、前記演算処理手段が前記遊技制御プログラムのリセットアドレスに設定された命令を実行する構成となっている。
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
対象物体に対し、超音波ビームを送受信するｎ個（前記ｎは自然数）のタイルと、
前記ｎ個のタイルを各々載置し、前記タイルをマルチアレイ状に整列するｎ個の載置部、及び、前記載置部の下部に位置して前記タイルを前記基板に接着させる接着物質が位置するｎ個の接着部が形成された基板と、
を含むことを特徴とするマルチアレイ超音波プローブ装置。
【請求項２】
前記基板は、
前記タイルを前記載置部に載置するときに、前記タイルが接する前記接着部に位置する前記接着物質を外部に放出するｎ個のアウトレットがさらに形成された、ことを特徴とする請求項１に記載のマルチアレイ超音波プローブ装置。
【請求項３】
前記載置部の幅は前記接着部の幅より広い、ことを特徴とする請求項１に記載のマルチアレイ超音波プローブ装置。
【請求項４】
ｎ個の前記載置部及び前記接着部の高さは各々同一である、ことを特徴とする請求項１に記載のマルチアレイ超音波プローブ装置。
【請求項５】
ｎ個の前記載置部及び前記接着部は一定の間隔を置いてマトリックス状に前記基板に形成される、ことを特徴とする請求項１に記載のマルチアレイ超音波プローブ装置。
【請求項６】
前記載置部の幅は前記タイルの幅より所定の間隔だけ広い、ことを特徴とする請求項１に記載のマルチアレイ超音波プローブ装置。
【請求項７】
前記タイルは、ＡＳＩＣと、該ＡＳＩＣの上方に取付けられたＣＭＵＴとからなる、ことを特徴とする請求項１に記載のマルチアレイ超音波プローブ装置。
【請求項８】
前記基板はシリコン、ガラス、又は、ポリマー系物質で形成される、ことを特徴とする請求項１に記載のマルチアレイ超音波プローブ装置。
【請求項９】
ｎ個の載置部、及び、前記載置部の下部に位置して接着物質が位置するｎ個の接着部が形成された基板を提供するステップと、
超音波ビームを送受信するｎ個（前記ｎは自然数）のタイルを前記ｎ個の載置部に各々載置して前記ｎ個のタイルをマルチアレイ状に整列するステップと、
を含むことを特徴とするマルチアレイ超音波プローブ装置の製造方法。
【請求項１０】
前記基板を提供するステップは、
前記タイルを前記載置部に載置するときに、前記タイルが接する前記接着部に位置する前記接着物質を外部に放出するｎ個のアウトレットがさらに形成された前記基板を提供するステップを含むことを特徴とする請求項９に記載のマルチアレイ超音波プローブ装置の製造方法。
【請求項１１】
前記基板を提供するステップは、
前記載置部の幅が前記接着部の幅より広く形成された前記基板を提供するステップを含むことを特徴とする請求項９に記載のマルチアレイ超音波プローブ装置の製造方法。
【請求項１２】
前記基板を提供するステップは、
ｎ個の前記載置部及び前記接着部の高さが各々同一に形成された前記基板を提供するステップを含むことを特徴とする請求項９に記載のマルチアレイ超音波プローブ装置の製造方法。
【請求項１３】
前記基板を提供するステップは、
ｎ個の前記載置部及び前記接着部が一定の間隔を置いてマトリックス状に形成された前記基板を提供するステップを含むことを特徴とする請求項９に記載のマルチアレイ超音波プローブ装置の製造方法。
【請求項１４】
前記基板を提供するステップは、
前記載置部の幅が前記タイルの幅より所定の間隔だけ広く形成された前記基板を提供するステップを含むことを特徴とする請求項９に記載のマルチアレイ超音波プローブ装置の製造方法。
【請求項１５】
前記ｎ個のタイルをマルチアレイ状に整列するステップは、
ＡＳＩＣの上方にＣＭＵＴを取付けて形成された前記ｎ個のタイルを前記ｎ個の載置部に各々載置するステップを含むことを特徴とする請求項９に記載のマルチアレイ超音波プローブ装置の製造方法。
【請求項１６】
前記基板を提供するステップは、
シリコン、ガラス、又は、ポリマー系物質で形成された前記基板を提供するステップを含むことを特徴とする請求項９に記載のマルチアレイ超音波プローブ装置の製造方法。
【手続補正２】
【補正対象書類名】明細書
【補正対象項目名】０００１
【補正方法】変更
【補正の内容】
【０００１】
本発明は半導体発光装置に関し、特に、複数の発光セルが配列された構造、即ちマルチセルアレイを有する半導体発光装置及びこれを製造する方法に関する。
【手続補正３】
【補正対象書類名】明細書
【補正対象項目名】０００７
【補正方法】変更
【補正の内容】
【０００７】
また、前記基板には、前記載置部の下部に、前記タイルを前記基板に接着させる接着物質が位置するｎ個の接着部（ａｎ  ａｄｈｅｓｉｖｅ  ｐｏｒｔｉｏｎ）をさらに形成される。
【手続補正４】
【補正対象書類名】明細書
【補正対象項目名】００１５
【補正方法】変更
【補正の内容】
【００１５】
また、本発明の一実施形態によれば、ｎ個の載置部、及び、前記載置部の下部に位置して接着物質が位置するｎ個の接着部が形成された基板を提供するステップと、超音波ビームを送受信するｎ個（前記ｎは自然数）のタイルを前記ｎ個の載置部に各々載置して前記ｎ個のタイルをマルチアレイ状に整列するステップと、を含むマルチアレイ超音波プローブ装置の製造方法が提供される。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
加熱ヘッド（２）は、加熱体（２０）と、加熱体（２０）の内部の発熱空間（２５）に収容されて、加熱体（２０）を加熱する熱源（２２）とを含み、
発熱空間（２５）の内部に、熱源（２２）の熱を加熱体（２０）に熱伝導作用で伝導する伝熱体（２１）が配置してあり、
加熱ヘッド（２）が温度センサー（２３）を含み、温度センサー（２３）の検知信号に基づいて熱源（２２）の発熱状態が制御されており、
温度センサー（２３）のセンサー本体（５９）が、伝熱体（２１）の内部に設けた装着部（６１）に装着してあることを特徴とする温熱器具。
【請求項２】
センサー本体（５９）から導出されるセンサーリード（６０）が、伝熱体（２１）の周面に凹み形成した導出部（６２）に沿って、発熱空間（２５）の外へ導出してある請求項１に記載の温熱器具。
【請求項３】
装着部（６１）は、伝熱体（２１）の周面で開口しており、
導出部（６２）は、伝熱体（２１）の周面に凹み形成される導出溝（６４）と、装着部（６１）と導出溝（６４）とを接続する導出穴（６３）とで構成されており、
センサーリード（６０）を、装着部（６１）および導出穴（６３）に挿通して、センサー本体（５９）が装着部（６１）に装填された状態で、センサーリード（６０）を折り曲げて導出溝（６４）に沿わせてある請求項２に記載の温熱器具。
【請求項４】
熱源（２２）の発熱部（５３）の全体が、伝熱体（２１）の内部に埋設する状態で封入してある請求項１乃至３のいずれかひとつに記載の温熱器具。
【請求項５】
伝熱体（２１）と熱源（２２）と温度センサー（２３）とがユニット部品化してある請求項１乃至４のいずれかひとつに記載の温熱器具。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
加熱ヘッド（２）は、加熱体（２０）と、加熱体（２０）を加熱する熱源（２２）とを含み、
熱源（２２）の熱を加熱体（２０）に熱伝導作用で伝導する伝熱体（２１）が設けられており、
伝熱体（２１）が、複数の分割体（４０・４１）を接合して構成してあることを特徴とする温熱器具。
【請求項２】
伝熱体（２１）が、複数の分割体（４０・４１）を接合して構成してあり、
分割体（４０・４１）の接合面の間に設けた熱源装填部（５０）に熱源（２２）が配置してある請求項１に記載の温熱器具。
【請求項３】
分割体（４０・４１）のうち、ひとつの分割体（４０）の熱源装填部（５０）にリブ（４４）を突設してある請求項２に記載の温熱器具。
【請求項４】
分割体（４０・４１）のうち、ひとつの分割体（４１）にリブ（４４）と係合する溝（４５）を形成してある請求項３に記載の温熱器具。
【請求項５】
分割体（４１）のリブ（４４）の突端面に凸部（４４ａ）が突設してあり、溝（４５）の底面には、リブ（４４）の凸部（４４ａ）と係合する凹部（４５ａ）が凹設してある請求項４に記載の温熱器具。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
加熱ヘッド（２）は、加熱体（２０）と、加熱体（２０）を加熱する熱源（２２）とを含み、
熱源（２２）が、板状の発熱体で構成してあることを特徴とする温熱器具。
【請求項２】
熱源（２２）は、発熱部（５３）と、発熱部（５３）の両端にそれぞれ設けた端子部（５４・５４）とを備える板状の発熱体で構成してある請求項１に記載の温熱器具。
【請求項３】
発熱部（５３）は、つづら折り状に形成した一対の屈曲部（５５・５５）と、両屈曲部（５５・５５）の一端どうしを繋ぐ接続部（５６）とを備えている請求項２に記載の温熱器具。
【請求項４】
屈曲部（５５）および接続部（５６）の断面が略矩形状である請求項３に記載の温熱器具。
【請求項５】
端子部（５４）は、屈曲部（５５）および接続部（５６）よりも幅広の平板状に形成してある請求項２乃至請求項４のいずれかひとつに記載の温熱器具。
【請求項６】
加熱ヘッド（２）は、加熱体（２０）と、加熱体（２０）の内部の発熱空間（２５）に収容されて、加熱体（２０）を加熱する熱源（２２）とを含み、
発熱空間（２５）の内部に、熱源（２２）の熱を加熱体（２０）に熱伝導作用で伝導する伝熱体（２１）が配置してある請求項１乃至５のいずれかひとつに記載の温熱器具。
【請求項７】
伝熱体（２１）が、発熱空間（２５）の内面に密着する軟質材で構成してある請求項６に記載の温熱器具。
【請求項８】
熱源（２２）の発熱部（５３）の全体が、伝熱体（２１）の内部に埋設する状態で封入してある請求項６または７に記載の温熱器具。
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
合成樹脂製の芯部にエラストマからなる清掃用軟質部を被覆成形して、前記芯部と清掃用軟質部とで歯間に挿入される清掃部を形成した歯間清掃具において、
前記芯部をその先端側へ行くにしたがって縮径する芯側テーパ面で構成し、
前記清掃部をその先端側へ行くにしたがって縮径する清掃側テーパ面で構成し、
前記芯部の中心線に対する両テーパ面のなす角度を、前記芯部の先端側へ行くにしたがって連続的或いは段階的に小さくなるようにそれぞれ設定した、
ことを特徴とする歯間清掃具。
【請求項２】
前記清掃部の先端部から５ｍｍの位置における断面積を０．４〜０．６ｍｍ2に設定し、前記清掃部の先端部から１０ｍｍの位置における断面積を０．７５〜１．００ｍｍ2に設定した請求項１記載の歯間清掃具。
【請求項３】
前記清掃側テーパ面として、前記芯部の中心線に対する角度又は角度の変化率の異なる２種類のテーパ面を形成した請求項１又は２記載の歯間清掃具。
【請求項４】
前記清掃側テーパ面と前記芯部の中心線を含む横断面との交差線分の基端側を第１円弧に沿った形状となるように形成し、先端側を第１円弧よりも大きな直径の第２円弧に沿った形状となるように形成した請求項１又は２記載の歯間清掃具。
【請求項５】
前記清掃用軟質部の厚みを清掃部の全長にわたって略同じに設定した請求項１〜４のいずれか１項記載の歯間清掃具。
【請求項６】
前記芯部を直線状の細長い軸状に構成した請求項１〜５のいずれか１項記載の歯間清掃具。
【請求項７】
前記芯材の先端部を部分球面状に形成し、その基端部の断面積を０．１５ｍｍ2以上に設定した請求項１〜６のいずれか１項記載の歯間清掃具。
【請求項８】
前記清掃部の基端部に、歯間に対する清掃部の挿入限界位置を規制するエラストマからなる環状の挿入規制部を、前記清掃用軟質部の基端部に連なって、芯部の基部の外周面に外方へ突出状に形成した請求項１〜７のいずれか１項記載の歯間清掃具。
【請求項９】
持ち手としての合成樹脂製のハンドル基材を設け、前記芯部を前記ハンドル基材の先端部に連設した請求項１〜８のいずれか１項記載の歯間清掃具。
【請求項１０】
前記ハンドル基材の長さ方向の途中部の外周部にエラストマからなる環状の滑り止め部を形成し、前記ハンドル基材に滑り止め部と清掃用軟質部とを連結するエラストマからなる連結部を設けた請求項９記載の歯間清掃具。
【請求項１１】
前記ハンドル基材を細長い扁平な棒状に形成し、前記連結部をハンドル基材の幅広な両面の幅方向の中央部に対応させて、該ハンドル基材の長さ方向に沿って形成した請求項１０記載の歯間清掃具。
【請求項１２】
前記ハンドル基材は、ハンドル基材本体と、該ハンドル基材本体の先端部に連設した先細基材部とを有し、前記先細基材部はハンドル基材本体の幅方向に湾曲するとともに、先端側へ行くにしたがって幅狭になるとともに薄肉になるように幅方向及び厚さ方向に先細形状に形成されている請求項９〜１１のいずれか１項記載の歯間清掃具。
【請求項１３】
前記ハンドル基材に合成樹脂材料節減用の凹部又は貫通孔を形成した請求項９〜１２のいずれか１項記載の歯間清掃具。
【請求項１４】
前記清掃用軟質部は、前記芯部を被覆する被覆部と、該被覆部に長さ方向に間隔をあけて外方へ突出状に形成した複数の突起部とを有する請求項１〜１３のいずれか１項記載の歯間清掃具。
【請求項１５】
前記芯部を構成する合成樹脂材料と、前記清掃用軟質部を構成するエラストマ材料とが相溶性を有する材料からなる請求項１〜１４のいずれか１項記載の歯間清掃具。
【手続補正２】
【補正対象書類名】明細書
【補正対象項目名】００１３
【補正方法】変更
【補正の内容】
【００１３】
前記芯部を直線状の細長い軸状に構成することが好ましい実施の形態である。
また、前記芯材の先端部を部分球面状に形成し、その基端部の断面積を０．１５ｍｍ2以上に設定することが好ましい実施の形態である。このように構成することで、清掃部の先端部の強度剛性を高めて、歯間に刺し通した清掃部の先端部により、清掃部の挿入側とは反対の歯間の裏側をも効果的に清掃することが可能となる。
【手続補正３】
【補正対象書類名】明細書
【補正対象項目名】００１５
【補正方法】変更
【補正の内容】
【００１５】
持ち手としての合成樹脂製のハンドル基材を設け、前記芯部を前記ハンドル基材の先端部に連設することが好ましい実施の形態である。また、前記ハンドル基材の長さ方向の途中部の外周部にエラストマからなる環状の滑り止め部を形成し、前記ハンドル基材に滑り止め部と清掃用軟質部とを連結するエラストマからなる連結部を設けることが好ましい実施の形態である。このように構成すると、滑り止め部により歯間清掃具の滑りを防止できるので、歯間清掃具のハンドリング性を向上できる。また、歯間清掃具の成形時には、滑り止め部を成形する滑り止め部成形空間にエラストマ材料を一旦貯留して、この滑り止め成形空間から、連結部を成形する複数の供給路を通じて、清掃用軟質部を成形する清掃部成形空間の基部に、その全周にわたって一様となるようにエラストマ材料を供給できるので、清掃用軟質部の成形不良を効果的に防止できる。
【手続補正４】
【補正対象書類名】明細書
【補正対象項目名】００１６
【補正方法】変更
【補正の内容】
【００１６】
前記ハンドル基材を細長い扁平な棒状に形成し、前記連結部をハンドル基材の幅広な両面の幅方向の中央部に対応させて、該ハンドル基材の長さ方向に沿って形成することも好ましい実施の形態である。この場合には、歯間清掃具の使用時には、親指と人差し指とでハンドル基材の幅広な両面を摘まんで清掃操作できるので、歯間清掃具を保持し易く、しかもハンドル基材の幅広な両面にエラストマからなる連結部が形成されるので、滑り止め部だけでなく連結部においても、保持した指の滑りを防止でき、歯間清掃具のハンドリング性を向上できるので好ましい。
また、前記ハンドル基材は、ハンドル基材本体と、該ハンドル基材本体の先端部に連設した先細基材部とを有し、前記先細基材部はハンドル基材本体の幅方向に湾曲するとともに、先端側へ行くにしたがって幅狭になるとともに薄肉になるように幅方向及び厚さ方向に先細形状に形成されていることが好ましい実施の形態である。
【手続補正５】
【補正対象書類名】明細書
【補正対象項目名】００１７
【補正方法】変更
【補正の内容】
【００１７】
前記ハンドル基材に合成樹脂材料節減用の凹部又は貫通孔を形成することが好ましい実施の形態である。このように構成することで、基材部の使用材料を節減して、歯間清掃具の製作コストを安くできるとともに、凹部や貫通孔を利用して、歯間清掃具の意匠性を高めたり、包装用ブリスター容器等に対して歯間清掃具を収容するときに、歯間清掃具をブリスター容器に固定したりできるので好ましい。
【手続補正書】
【提出日】平成26年9月4日(2014.9.4)
【手続補正１】
【補正対象書類名】特許請求の範囲
【補正対象項目名】請求項５
【補正方法】変更
【補正の内容】
【請求項５】
前記ホース連通管は、
前記風路形成部の前記屈曲部分の上側外面から突出する突起部と、
前記突起部に設けられた、使用者が所定の操作を行うための操作部と、
を備え、
前記当て部は、前記突起部の一部によって形成された請求項３又は請求項４に記載の電気掃除機。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
腕帯部を有し、前記腕帯部を被測定者の上腕に巻いて血圧を測定する血圧計であって、
前記腕帯部のカフカバー内に配置されており、空気を送ることで前記上腕の動脈を圧迫して阻血する阻血用空気袋と、
前記阻血用空気袋に固定されており、前記空気を送ることで前記上腕の動脈の拍動を検出する動脈拍動検出用の空気袋と
を有し、
前記阻血用空気袋は、前記上腕の前記動脈の上流側に向けて凸状となるようほぼ扇形に形成され、
前記腕帯部の前記カフカバーは、前記上腕の前記動脈の上流側に向けて凸状となる扇形に形成されていることを特徴とする腕帯部。
【請求項２】
請求項１に記載の前記腕帯部と、前記扇形の阻血用空気袋と前記動脈拍動検出用の空気袋に対してチューブを介して接続された血圧計本体部を有し、前記血圧計本体部は、筐体と、前記筐体に取り付けられて押すことにより前記チューブを通じて前記空気を前記扇形の阻血用空気袋と前記動脈拍動検出用の空気袋に送る送気球と、を有することを特徴とする血圧計。
【手続補正書】
【提出日】平成26年5月27日(2014.5.27)
【手続補正１】
【補正対象書類名】特許請求の範囲
【補正対象項目名】請求項１
【補正方法】変更
【補正の内容】
【請求項１】
電気自動車に搭載された車両バッテリに電力を充電させる充電装置で且つ、同一エリア内に設置された隣り合う同一構成の他の充電装置との間で相互に電力を供給可能に前記他の充電装置と電力ケーブルを介して接続される充電装置であって、
電力系統からの電力を蓄電すると共に蓄電された電力を放電させて前記車両バッテリを充電する内蔵２次電池と、
前記内蔵２次電池と電動車充電用コネクタとの間の第１電路を開閉すると共に、前記他の充電装置の内蔵２次電池と前記電動車充電用コネクタとの間の第２電路を開閉する電路開閉手段と、
前記電気自動車側の指令に従って急速充電を開始する際に、自己の充電装置の内蔵２次電池に必要な残量が無いと判定した場合に前記電路開閉手段を駆動して前記第１電路を断路状態にすると共に前記第２電路を接続状態にし、前記他の充電装置の内蔵２次電池から前記電動車充電用コネクタを介して前記車両バッテリを急速充電する制御を行う制御手段と、
を備えたことを特徴とする充電装置。
【手続補正２】
【補正対象書類名】明細書
【補正対象項目名】００１３
【補正方法】変更
【補正の内容】
【００１３】
本発明は、複数台の電気自動車を充電対象とした充電システムに好適に適用できる充電装置及び充電システムに関するものであり、充電装置に関しては、  本発明の上記目的は、電気自動車に搭載された車両バッテリに電力を充電させる充電装置で且つ、同一エリア内に設置された隣り合う同一構成の他の充電装置との間で相互に電力を供給可能に前記他の充電装置と電力ケーブルを介して接続される充電装置であって、電力系統からの電力を蓄電すると共に蓄電された電力を放電させて前記車両バッテリを充電する内蔵２次電池と、前記内蔵２次電池と電動車充電用コネクタとの間の第１電路を開閉すると共に、前記他の充電装置の内蔵２次電池と前記電動車充電用コネクタとの間の第２電路を開閉する電路開閉手段と、前記電気自動車側の指令に従って急速充電を開始する際に、自己の充電装置の内蔵２次電池に必要な残量が無いと判定した場合に前記電路開閉手段を駆動して前記第１電路を断路状態にすると共に前記第２電路を接続状態にし、前記他の充電装置の内蔵２次電池から前記電動車充電用コネクタを介して前記車両バッテリを急速充電する制御を行う制御手段と、を備えることによって達成される。
【手続補正３】
【補正対象書類名】明細書
【補正対象項目名】００２４
【補正方法】変更
【補正の内容】
【００２４】
開閉制御回路１３は制御手段を有しており、その制御手段では、例えば電気自動車側の指令に従って急速充電を開始する際に、自己の充電装置の内蔵２次電池に必要な残量が無いと判定した場合に上記電路開閉手段を駆動して上記第１電路を開く（断路状態にする）と共に上記第２電路を閉じ（接続状態にし）、他の充電装置の内蔵２次電池から自己の充電装置の電動車充電用コネクタ（図示せず）を介して、電気自動車２０の車両バッテリを急速充電する制御を行う。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
有機性排水を好気的に生物処理する工程１と、工程１からの流出液を固液分離により処理液及び分離汚泥に分離する工程２と、該流出液及び／又は該分離汚泥の少なくとも一部を嫌気的な生物処理で酸発酵させ、有機酸を生成する工程３と、工程３からの有機酸含有液を曝気処理して有機酸を酸化分解する工程４と、工程４からの流出液を工程１に返送する工程５とを含む有機性排水の処理方法。
【請求項２】
工程４における曝気処理が回分式に行われる請求項１に記載の有機性排水の処理方法。
【請求項３】
工程３は充填材を充填した槽中で行われる請求項１又は２に記載の有機性排水の処理方法。
【請求項４】
工程２からの分離汚泥の一部を、工程３を経由せずに、工程４に供給する工程を含む請求項１〜３の何れか一項に記載の有機性排水の処理方法。
【請求項５】
工程４の酸化分解により発生した熱を工程３における酸発酵に利用する請求項１〜４の何れか一項に記載の有機性排水の処理方法。
【請求項６】
有機性排水を好気的に生物処理するための第一の曝気槽と、第一の曝気槽からの流出液を固液分離により処理液及び分離汚泥に分離するための固液分離装置と、該流出液及び／又は該分離汚泥の少なくとも一部を嫌気的な生物処理で酸発酵させ、有機酸を生成するための酸発酵槽と、酸発酵槽から排出される有機酸含有液を曝気処理して有機酸を酸化分解するための第二の曝気槽と、第二の曝気槽からの流出液を第一の曝気槽に返送する手段とを備えた有機性排水の処理装置。
【請求項７】
酸発酵槽には充填材が充填されている請求項６に記載の有機性排水の処理装置。
【請求項８】
第一の曝気槽からの流出液を、酸発酵槽を経由せずに、第二の曝気槽に供給する手段を備えた請求項６又は７に記載の有機性排水の処理装置。
【請求項９】
固液分離装置からの分離汚泥の一部を、酸発酵槽を経由せずに、第二の曝気槽に供給する手段を備えた請求項６〜８の何れか一項に記載の有機性排水の処理装置。
【請求項１０】
酸発酵槽と第二の曝気槽が熱的に接触している請求項６〜９の何れか一項に記載の有機性排水の処理装置。
【誤訳訂正書】
【提出日】平成26年4月1日(2014.4.1)
【誤訳訂正１】
【訂正対象書類名】明細書
【訂正対象項目名】００４０
【訂正方法】変更
【訂正の内容】
【００４０】
触媒ストリッパーと、２インチ（５．０８ｃｍ）内径の充填カラムと、系を連続反応様式で実行している場合に、飛沫同伴された触媒と一部の未反応のＨＣＦＯ−１２３３ｘｆを反応器に戻す機能をもつ凝縮器とを備えた、テフロン（商標）でライニングした液相反応器（テフロンはE.I. duPont de Nemours & Coの商標である）に、６５００グラムのＳｂＣｌ５を入れる。反応器は、内径２．７５インチ（６．９９ｃｍ）×長さ３６インチ（９１．４ｃｍ）であり、混合機／撹拌機は備えていない。この反応器を約８５℃〜８７℃に加熱する。次いで、１５００グラムのＨＦ、その後に１５００グラムのＣｌ２を添加することにより、触媒を活性化する。触媒のフッ素化により発生するＨＣｌは反応系の圧力を約１００ｐｓｉｇ（６８９ｋＰａゲージ圧）まで上昇させ、そこで制御する。連続的な気体のＨＦ供給をまず開始する。これは１．１ポンド／時（４９９グラム／時）の速度でディップ管を通して液体触媒中にバブリングし、ＨＦが１．０ポンド（４５４グラム）添加されたら、気体のＨＣｌ及び２−クロロ−３，３，３−トリフルオロプロペン供給を開始する。これらもまたディップ管により液体触媒に入る。ＨＣｌ及びＨＣＦＯ−１２３３ｘｆはそれぞれ０．５６ポンド／時（２５４グラム／時）及び１．０ポンド／時（４５４グラム／時）の速度で連続的に供給する。ＨＦ対１２３３ｘｆのモル比は７．１：１であり、ＨＣｌ対１２３３ｘｆのモル比は２：１である。反応温度は８５℃〜８７℃に維持し、圧力は１００ｐｓｉｇ（６８９ｋＰａゲージ圧）に維持する。ＨＣｌはこれらの条件で気体であり、不活性である（すなわち、反応しない）。ＨＣｌは液体反応混合物中にバブリングするので、これにより混合が劇的に増し、高い蒸気圧のために反応器圧力を維持するのに役立つ。ＨＣｌは触媒ストリッパーの頂部を通って反応系から出て、反応生成物であるＨＣＦＣ−２４４ｂｂをＨＣｌとともに得るのに役立つ。実験は５０時間連続的に行う。この運転についてＨＣＦＯ−１２３３ｘｆの平均転化率は＞９９％であり、２４４ｂｂに対する選択率は９８％に到達する。
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
２５重量％〜７０重量％の量の高タンパク、１０重量％〜６０重量％の量の高脂肪、５重量％〜２０重量％の量の低炭水化物、及び８〜１５重量％のセルロース、ヘミセルロース、リグニン、およびそれらの混合物から選択された非発酵性繊維を含む、体重管理を必要とし、一時的な異常な炭水化物代謝を有する猫において使用するためのフード組成物。
【請求項２】
体重管理を必要とする前記猫は過体重である、請求項１に記載の組成物。
【請求項３】
体重管理を必要とする前記猫は肥満体である、請求項１に記載の組成物。
【請求項４】
体重管理を必要とする前記猫は、体重が増加する傾向を有する猫である、請求項１に記載の組成物。
【請求項５】
前記タンパク質濃度は４０重量％〜７０重量％である、請求項１に記載の組成物。
【請求項６】
前記タンパク質は４５重量％〜７０重量％である、請求項５に記載の組成物。
【請求項７】
前記タンパク質は４５重量％〜６０重量％である、請求項５に記載の組成物。
【請求項８】
前記タンパク質は４７重量％〜６０重量％である、請求項５に記載の組成物。
【請求項９】
前記タンパク質は５１〜５３重量％である、請求項５に記載の組成物。
【請求項１０】
前記脂肪濃度は２０重量％〜６０重量％である、請求項１に記載の組成物。
【請求項１１】
前記脂肪濃度は２１〜２３重量％である、請求項１０に記載の組成物。
【請求項１２】
前記炭水化物濃度は１０重量％〜２０重量％である、請求項１に記載の組成物。
【請求項１３】
前記炭水化物濃度は１２重量％〜２０重量％である、請求項１２に記載の組成物。
【請求項１４】
前記炭水化物濃度は１２重量％〜１５重量％である、請求項１２に記載の組成物。
【請求項１５】
前記炭水化物濃度は１５〜１６重量％である、請求項１２に記載の組成物。
【請求項１６】
前記繊維濃度は８〜１０重量％である、請求項１に記載の組成物。
【請求項１７】
高タンパク、高脂肪、低炭水化物、及びセルロース、ヘミセルロース、リグニン、およびそれらの混合物から選択された非発酵性繊維を含む、体重管理を必要とし、一時的な異常な炭水化物代謝を有する猫において使用するためのフード組成物において、前記タンパク質濃度は５１〜５３重量％、前記脂肪濃度は２１〜２３重量％、前記炭水化物濃度は１５〜１６重量％、及び前記繊維濃度は８〜１０重量％である、フード組成物。
【請求項１８】
体重管理を必要とする前記猫は過体重である、請求項１７に記載の組成物。
【請求項１９】
体重管理を必要とする前記猫は肥満体である、請求項１７に記載の組成物。
【請求項２０】
体重管理を必要とする前記猫は、体重が増加する傾向を有する猫である、請求項１７に記載の組成物。
【請求項２１】
体重管理を必要とし、一時的な異常な炭水化物代謝を有する猫における体重を管理する方法であって、前記猫に請求項１に記載の組成物を供給することを含む方法。
【請求項２２】
体重管理を必要とする前記猫は過体重である、請求項２１に記載の方法。
【請求項２３】
体重管理を必要とする前記猫は肥満体である、請求項２１に記載の方法。
【請求項２４】
体重管理を必要とする前記猫は、体重が増加する傾向を有する猫である、請求項２１に記載の方法。
【請求項２５】
体重管理を必要とし、一時的な異常な炭水化物代謝を有する猫における体重を管理する方法であって、前記猫に請求項１７に記載の組成物を供給することを含む方法。
【請求項２６】
体重管理を必要とする前記猫は過体重である、請求項２５に記載の方法。
【請求項２７】
体重管理を必要とする前記猫は肥満体である、請求項２５に記載の方法。
【請求項２８】
体重管理を必要とする前記猫は、体重が増加する傾向を有する猫である、請求項２５に記載の方法。
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
エクオール含有大豆胚軸発酵物を抽出溶媒としてエタノール水溶液を用いて抽出処理し、抽出液を回収する第I-1工程、及び
第I-1工程で得られた抽出液から抽出溶媒を除去した後、これを抽出溶媒としてエタノールを用いて抽出処理し、抽出液を回収する第I-2工程
を含む、エクオール含有抽出物の製造方法。
【請求項２】
第I-1工程で使用されるエタノール水溶液におけるエタノール濃度が２０〜９８容量％である、請求項１に記載の製造方法。
【請求項３】
エクオール含有大豆胚軸発酵物が、エクオール産生微生物で大豆胚軸を発酵させることにより得られるものである、請求項１又は２に記載の製造方法。
【請求項４】
請求項１乃至３のいずれかに記載の製造方法により得られる、エクオール含有抽出物。
【請求項５】
下記第II-1工程及び第II-2工程を含む、エクオール含有大豆胚軸発酵物からエクオール含有抽出物を製造する方法：
エクオール含有大豆胚軸発酵物を水に懸濁させて酸を加えてpH2〜6に調整し、不溶物を回収する第II-1工程、及び
前記第II-1工程で得られた不溶物に対して、抽出溶媒としてエタノール水溶液を用いて抽出処理し、抽出液を回収する第II-2工程。
【請求項６】
第II-1工程で使用される酸が酢酸である、請求項５に記載の製造方法。
【請求項７】
請求項５又は６に記載の製造方法により得られる、エクオール含有抽出物。
【請求項８】
下記第1-1工程〜第1-5工程を含む、エクオール含有物からエクオールを精製する方法：
エクオール含有物を抽出溶媒としてエタノール水溶液を用いて抽出処理し、抽出液を回収する第1-1工程、
前記第1-1工程で得られた抽出液から溶媒を除去した後、得られた残留物に対して抽出溶媒としてエタノールを用いて抽出処理し、抽出液を回収する第1-2工程、
前記第1-2工程で得られた抽出液から溶媒を除去した後、得られた残留物にをヘキサンに懸濁し、不溶物を回収する第1-3工程、
前記第1-3工程で得られた不溶物に対して、抽出溶媒としてヘキサン及びエーテルの混合液を用いて抽出処理し、抽出液を回収する第1-4工程、及び
前記第1-4工程で得られた抽出液をシリカゲルクロマトグラフィーに供し、エクオール含有画分を回収する第1-5工程。
【請求項９】
エクオール含有物が、エクオールを含む発酵物である、請求項８に記載の精製方法。
【請求項１０】
エクオールを含む発酵物が、エクオール産生微生物で大豆胚軸を発酵させることにより得られるエクオール含有大豆胚軸発酵物である、請求項９に記載の精製方法。
【請求項１１】
第1-4工程で使用する抽出溶媒が、ヘキサンとジエチルエーテルの混合液である、請求項８乃至１０のいずれかに記載の精製方法。
【請求項１２】
第1-4工程で使用する抽出溶媒が、ヘキサンとエーテルが１０：９０〜２０：８０の容量比の混合液である、請求項８乃至１１のいずれかに記載の精製方法。
【請求項１３】
第1-1工程で使用されるエタノール水溶液におけるエタノール濃度が２０〜９８容量％である、請求項８乃至１２いずれかに記載の精製方法。
【手続補正書】
【提出日】平成26年10月1日(2014.10.1)
【手続補正１】
【補正対象書類名】明細書
【補正対象項目名】０００２
【補正方法】変更
【補正の内容】
【０００２】
心房細動は頻度の高い頻脈性不整脈であり、この心房細動が維持されるメカニズムの解明とその治療法が研究されている。治療法としては薬物療法（対症療法）、カテーテルアブレーション（根治療法）等を挙げることができる。この内のカテーテルアブレーションとは、心房細動中の心臓の挙動を心内心電図に基づいて解析し、ロータ（Rotor）と呼ばれる電気信号(興奮波)を発生している部位を特定して、その部位を除去しロータの発生を抑えようとするものである。
【手続補正２】
【補正対象書類名】明細書
【補正対象項目名】００１９
【補正方法】変更
【補正の内容】
【００１９】
ＲＩ算出部１２は、制御部１４から送信されるＲＩ算出制御信号に基づいて、心内心電図波形のデータからＲＩ値を算出する。ＲＩ値は、心内心電図を構成する各周波数の振幅値の総和に対するＤＦ（Dominant Frequency）の振幅値の比を算出した値である。ＤＦの振幅は、ＦＦＴ（Fast Fourier Transform）によって周波数分析したときの成分が最も多い周波数の振幅である。ＲＡＭ１８に格納された心内心電図波形データ（波形取得部１１によって取得された波形データ取得期間内の心内心電図波形データ）が、制御部１４からＲＩ算出部１２に送信される。ＲＩ算出部１２は、この心内心電図波形データに基づいてＲＩ値を算出する。ＲＩの算出手順については、図２から図４において後述する。算出されたＲＩ値のデータは、制御部１４へ送信され、制御部１４に搭載されているＲＡＭ１８、および図示を省略するフラッシュメモリに記憶保持される。
【手続補正３】
【補正対象書類名】明細書
【補正対象項目名】００２２
【補正方法】変更
【補正の内容】
【００２２】
表示部１５は、制御部１４から送信される表示制御信号に基づいてＲＡＭ１８に格納されていたデータ、例えば、心臓カテーテル９の各電極によって測定された心内心電図波形データ、波形取得部１１によって取得された波形データ取得期間の心内心電図波形データ、ＲＩ値が閾値を超えた旨を表すデータ等をその表示画面に表示する。これらの各データは、表示制御信号に基づいて、心内心電図波形の測定中にも、すなわちリアルタイムでも、また、測定後に心内心電図波形のデータを詳しくレビューする場合でもメモリから読み出して表示部１５に表示することができる。
【手続補正４】
【補正対象書類名】明細書
【補正対象項目名】００２８
【補正方法】変更
【補正の内容】
【００２８】
次に、ＲＩ算出部１２は、全波整流処理した波形データ（図３（ｂ））をＦＦＴ処理する。図３（ｃ）は、（ｂ）の全波整流波形をＦＦＴ処理したものであり、図３（ｃ）には、ＦＦＴ処理した波形のグラフと、ＤＦ値と、ＲＩ値が表示されている。ＤＦは、ＦＦＴ処理によって周波数分析したときに最も大きな振幅となる周波数のことであり、最も優位な周期性がある興奮を示している。図３（ｃ）では、ＤＦ＝７.０〔Hz〕であり、グラフに示される波形の最も振幅の大きい周波数であるＤＦの○印の周波数を示している。上記具体的な処理と同様にして、複数の電極によって測定された全ての心内心電図波形データについて、全波整流およびＦＦＴ処理を行なう。
【手続補正５】
【補正対象書類名】図面
【補正対象項目名】図３
【補正方法】変更
【補正の内容】
【図３】
2013188438.tif 000001
【手続補正書】
【提出日】平成26年10月1日(2014.10.1)
【手続補正１】
【補正対象書類名】明細書
【補正対象項目名】０００２
【補正方法】変更
【補正の内容】
【０００２】
心房細動は頻度の高い頻脈性不整脈であり、この心房細動が維持されるメカニズムの解明とその治療法が研究されている。治療法としては薬物療法（対症療法）、カテーテルアブレーション（根治療法）等を挙げることができる。この内のカテーテルアブレーションとは、心房細動中の心臓の挙動を心内心電図に基づいて解析し、リエントリと呼ばれる電気信号(興奮波)を発生している部位を特定して、その部位を除去しリエントリの発生を抑えようとするものである。
【手続補正２】
【補正対象書類名】明細書
【補正対象項目名】０００４
【補正方法】変更
【補正の内容】
【０００４】
【非特許文献１】Martin K. Stiles et al., "The Effect of Electrogram Duration on Quantification of Complex Fractionated Atrial Electrograms and Dominant Frequency", Journal of Cardiovascular Electrophysiology Vol. 19, No. 3, March 2008
【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
被検体の３次元医用画像を取得する医用画像取得手段と、
該医用画像取得手段によって取得された３次元医用画像と該３次元医用画像に付加される情報を表す付加情報画像とを表示する表示制御手段と、
前記３次元医用画像に対して前記付加情報画像を表示する指示を受け付ける付加情報表示指示受付手段とを備え、
前記表示制御手段が、前記付加情報画像を表示する指示が受け付けられた際、前記３次元医用画像に対して前記付加情報画像を表示し、かつ現在表示されている前記３次元医用画像の色を前記付加情報画像の色と識別可能な色に変更するものであることを特徴とする医用画像表示装置。
【請求項２】
前記表示制御手段が、前記付加情報画像をカラー表示し、前記３次元医用画像をカラー表示からモノクロ表示に変更するものであることを特徴とする請求項１記載の医用画像表示装置。
【請求項３】
前記付加情報画像の色の変更指示を受け付ける色変更指示受付手段を備え、
前記表示制御手段が、前記色変更指示受付手段によって前記付加情報画像の色の変更指示が受け付けられた際、現在表示されている前記３次元医用画像の色を前記付加情報画像の変更後の色と識別可能な色に変更するものであることを特徴とする請求項１または２記載の医用画像表示装置。
【請求項４】
前記表示制御手段が、前記付加情報画像として前記３次元医用画像上における所定の位置を指し示すための指標を表示するものであることを特徴とする請求項１から３いずれか１項記載の医用画像表示装置。
【請求項５】
前記表示制御手段が、前記３次元医用画像に基づくＣＰＲ（Curved Planer Reformation）画像を表示するものあり、
かつ前記ＣＰＲ画像の切断曲面を表す画像を前記３次元医用画像上に前記付加情報画像として表示するものであることを特徴とする請求項１から４いずれか１項記載の医用画像表示装置。
【請求項６】
前記付加情報表示指示受付手段が、前記付加情報画像を非表示とする指示も受け付けるものであり、
前記表示制御手段が、前記付加情報画像を非表示とする指示が受け付けられた際、前記付加情報画像を非表示とし、かつ前記３次元医用画像の色を変更前の色に戻すものであることを特徴とする請求項１から５いずれか１項記載の医用画像表示装置。
【請求項７】
前記表示制御手段が、前記付加情報画像を非表示とする指示が受け付けられた際、前記３次元医用画像をモノクロ表示から変更前のカラー表示に戻すものであることを特徴とする請求項６記載の医用画像表示装置。
【請求項８】
前記表示制御手段が、前記３次元医用画像としてボリュームレンダリング画像を表示するものであることを特徴とする請求項１から７いずれか１項記載の医用画像表示装置。
【請求項９】
被検体の３次元医用画像を取得し、該取得した３次元医用画像と該３次元医用画像に付加される情報を表す付加情報画像とを表示する医用画像表示方法において、
前記３次元医用画像に対して前記付加情報画像を表示する指示を受け付けた際、前記３次元医用画像に対して前記付加情報画像を表示し、かつ現在表示されている前記３次元医用画像の色を前記付加情報画像の色と識別可能な色に変更することを特徴とする医用画像表示方法。
【請求項１０】
コンピュータを、
被検体の３次元医用画像を取得する医用画像取得手段と、
該医用画像取得手段によって取得された３次元医用画像と該３次元医用画像に付加される情報を表す付加情報画像とを表示する表示制御手段と、
前記３次元医用画像に対して前記付加情報画像を表示する指示を受け付ける付加情報表示指示受付手段として機能させる医用画像表示プログラムであって、
前記表示制御手段が、前記付加情報画像を表示する指示が受け付けられた際、前記３次元医用画像に対して前記付加情報画像を表示し、かつ現在表示されている前記３次元医用画像の色を前記付加情報画像の色と識別可能な色に変更するものであることを特徴とする医用画像表示プログラム。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
腕帯部を被測定者の上腕に装着して血圧を測定する血圧計であって、
前記腕帯部の空気袋を手動にて加圧する加圧手段と、前記腕帯部の前記空気袋の内圧の減圧速度を制御する減圧速度制御手段と、前記腕帯部の前記内圧を検出する圧力検出手段と、前記腕帯部の前記内圧の減圧過程で前記圧力検出手段の出力信号に基づいて最高血圧値および最低血圧値を決定する血圧決定手段と、制御部を有し、
前記減圧速度制御手段は、
脈拍数検出期間と最適速度減圧期間の前記腕帯部の前記内圧の減圧速度を制御するものであり、
前記最適速度減圧期間においては、前記減圧速度期間で測定された脈拍数に基づいて、前記制御部により前記腕帯部の前記内圧の減圧速度を制御し、
前記最適速度減圧期間で検出された脈波と前記腕帯部の前記内圧に基づいて前記最高血圧値および前記最低血圧値を決定することを特徴とする血圧計。
【手続補正書】
【提出日】平成26年2月18日(2014.2.18)
【手続補正１】
【補正対象書類名】特許請求の範囲
【補正対象項目名】全文
【補正方法】変更
【補正の内容】
【特許請求の範囲】
【請求項１】
始動領域に遊技媒体が入賞したことにもとづいて各々を識別可能な複数種類の識別情報の可変表示を行う可変表示手段に所定表示結果が導出表示されたときに遊技者にとって有利な所定遊技状態となる遊技機であって、
普通識別情報の可変表示を行い表示結果を導出表示する普通可変表示手段と、
前記始動領域に設けられ、遊技媒体が入賞しやすい状態に変化する可変入賞装置と、
前記普通可変表示手段に特定表示結果が導出表示されたときに前記可変入賞装置を前記入賞しやすい状態に変化させる制御を実行する可変入賞装置制御手段と、
前記普通可変表示手段に導出表示される表示結果を前記特定表示結果とするか否かを、前記普通可変表示手段に表示結果が導出表示される以前に決定する事前決定手段と、
前記事前決定手段によって前記特定表示結果とすると決定された場合に、前記特定表示結果とすると決定されたことを報知する表示結果報知手段とを備え、
前記可変入賞装置制御手段は、前記可変入賞装置を第１期間前記入賞しやすい状態に変化させる第１制御と、前記可変入賞装置を前記第１期間より短い第２期間前記入賞しやすい状態に変化させる第２制御とを実行可能である
ことを特徴とする遊技機。
【手続補正２】
【補正対象書類名】明細書
【補正対象項目名】０００１
【補正方法】変更
【補正の内容】
【０００１】
本発明は、始動領域に遊技媒体が入賞したことにもとづいて各々を識別可能な複数種類の識別情報の可変表示を行う可変表示手段に所定表示結果が導出表示されたときに遊技者にとって有利な所定遊技状態となる遊技機に関する。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
【特許文献１】特開平８−２３８３５９号公報
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明は、可変入賞装置を第１期間入賞しやすい状態に変化させる第１制御と、可変入賞装置を第１期間より短い第２期間入賞しやすい状態に変化させる第２制御とを実行可能とする遊技機を提供することを目的とする。
【手続補正７】
【補正対象書類名】明細書
【補正対象項目名】０００８
【補正方法】変更
【補正の内容】
【０００８】
本発明による遊技機は、始動領域に遊技媒体が入賞したことにもとづいて各々を識別可能な複数種類の識別情報の可変表示を行う可変表示手段に所定表示結果が導出表示されたときに遊技者にとって有利な所定遊技状態となる遊技機であって、普通識別情報の可変表示を行い表示結果を導出表示する普通可変表示手段と、始動領域に設けられ、遊技媒体が入賞しやすい状態に変化する可変入賞装置と、普通可変表示手段に特定表示結果が導出表示されたときに可変入賞装置を入賞しやすい状態に変化させる制御を実行する可変入賞装置制御手段と、普通可変表示手段に導出表示される表示結果を特定表示結果とするか否かを、普通可変表示手段に表示結果が導出表示される以前に決定する事前決定手段と、事前決定手段によって特定表示結果とすると決定された場合に、特定表示結果とすると決定されたことを報知する表示結果報知手段とを備え、可変入賞装置制御手段は、可変入賞装置を第１期間入賞しやすい状態に変化させる第１制御と、可変入賞装置を第１期間より短い第２期間入賞しやすい状態に変化させる第２制御とを実行可能であることを特徴とする。
【手続補正８】
【補正対象書類名】明細書
【補正対象項目名】０００９
【補正方法】変更
【補正の内容】
【０００９】
請求項１に記載された発明では、可変入賞装置を第１期間入賞しやすい状態に変化させる第１制御と、可変入賞装置を第１期間より短い第２期間入賞しやすい状態に変化させる第２制御とを実行可能とすることができる。